(57)【特許請求の範囲】
【請求項１】
電話番号で識別される端末の呼を、当該電話番号に対応する加入者クラスに基づいて制御するセッション制御サーバと、当該セッション制御サーバに接続するアプリケーションサーバを備える通信システムであって、
前記セッション制御サーバは、
端末の電話番号と、当該電話番号に割り当てた加入者クラスとを対応づけた加入者クラスデータを記憶する記憶装置と、
発信端末から、所定の番号、当該発信端末および着信端末の電話番号を含む発信リクエストを受信すると、当該発信端末の電話番号をアプリケーションサーバに送信し、当該アプリケーションサーバから当該発信端末の加入者クラスの引き上げ指示を受信すると、前記加入者クラスデータから、当該発信端末の加入者クラスを抽出し、抽出した加入者クラスを上げた加入者クラスに基づいて、前記着信端末に前記発信リクエストを転送するか否かを決定するセッション制御手段を備え、
前記アプリケーションサーバは、
前記セッション制御サーバから、前記発信端末の電話番号を受信すると、当該発信端末の電話番号に基づいて課金可能であるか否かを判定し、課金可能である場合、前記セッション制御サーバに、引き上げ指示を送信する
ことを特徴とする通信システム。
【請求項２】
電話番号で識別される端末の呼を、当該電話番号に対応する加入者クラスに基づいて制御するセッション制御サーバと、当該セッション制御サーバに接続するアプリケーションサーバを備える通信システムに用いられる通信方法であって、
前記セッション制御サーバが、発信端末から、所定の番号、当該発信端末および着信端末の電話番号を含む発信リクエストを受信すると、当該発信端末の電話番号をアプリケーションサーバに送信するステップと、
前記アプリケーションサーバが、前記セッション制御サーバから、前記発信端末の電話番号を受信すると、当該発信端末の電話番号に基づいて課金可能であるか否かを判定し、課金可能である場合、前記セッション制御サーバに、引き上げ指示を送信するステップと、
前記セッション制御サーバが、前記アプリケーションサーバから前記発信端末の加入者クラスの引き上げ指示を受信すると、端末の電話番号と、当該電話番号に割り当てた加入者クラスとを対応づけた加入者クラスデータから、前記発信端末の加入者クラスを抽出し、抽出した加入者クラスを上げた加入者クラスに基づいて、前記着信端末に前記発信リクエストを転送するか否かを決定するステップ
を備えることを特徴とする通信方法。
【発明の詳細な説明】
【技術分野】
【０００１】
本発明は、電話番号で識別される端末から発信された発信呼を、加入者クラスに基づいて制御するセッション制御サーバ、通信システムおよび通信方法に関する。
【背景技術】
【０００２】
昨今の情報通信の発達に伴い、ＩＰ電話端末が普及している。このＩＰ電話端末は、加入者サービスエッジ、セッション制御サーバ、中継セッション制御サーバなどを介して、他のＩＰ電話端末に接続する。このとき、通信システムにおいて、ＳＩＰ（Session Initiation Protocol）メッセージが送受信される。
【０００３】
セッション制御サーバは、各端末に割り当てた加入者クラスに基づいて、呼を接続するか否かを決定する。セッション制御サーバは、高い加入者クラスの端末からの呼を優先的に接続する。この加入者クラスは、災害時優先電話クラスＵＲ１、公衆電話クラスＵＲ、一般加入者クラスＧＮの３つのクラスにわけられる。災害時優先電話クラスＵＲ１は、最も優先度の高い加入者クラスであって、警察署、消防署などの、災害時に最優先されるべき端末に割り当てられる。公衆電話クラスＵＲは、災害時優先電話クラスＵＲ１の次に優先度の高い加入者クラスであって、公衆電話機に割り当てられる。一般加入者クラスＧＮは、一般家庭の電話機などの、公衆電話クラスＵＲ、災害時優先電話クラスＵＲ１が割り当てられなかった端末に割り当てられる。
【０００４】
一般的に、激甚災害が発生すると、その被災地域の住人の状況確認や安否確認のため、被災地域の電話端末宛の呼が多く発生する。この結果、被災地域において輻輳が発生し、呼がつながりにくい状態になってしまう。これを回避するために、輻輳範囲への接続を規制する方法がある（例えば、特許文献１参照。）。
【０００５】
また、被災地域の電話端末宛の呼が、この被災地域の電話端末を収容するセッション制御サーバに、集中してしまう。この結果、被災地域のセッション制御サーバの負荷が高まり、被災地域のセッション制御サーバにおいて呼の発信を制限するための規制が、発動される場合がある。このほか、セッション制御サーバの負荷が高くなるなどの様々な原因で、セッション制御サーバは、他のセッション制御サーバへの発信呼に関するＳＩＰメッセージの転送を、規制する場合がある。
【０００６】
このような場合、一般加入者クラスＧＮが割り当てられた端末は、発信しにくくなる。これに対し、事前の契約等により、予めＶＬＡＮを設定したり、サービスオーダを出したりすることで、加入者単位で、加入者クラスの優先度を上げることが可能である。
【先行技術文献】
【特許文献】
【０００７】
【特許文献１】特開２０１０−２６８１９８号公報
【発明の概要】
【発明が解決しようとする課題】
【０００８】
しかしながら、加入者単位で加入者クラスを変更することは可能であるものの、呼単位で優先的に発信を可能とする方法がなかった。加入者は、例えば、突発的に発生する激甚災害などにおいて発信制限がされた場合などにおいて、所定の呼のみ優先制御を希望する場合でも、セッション制御サーバが、呼単位で発信を優先制御することができなかった。
【０００９】
従って本発明の目的は、呼単位で発信を優先制御することのできる通信システムおよび通信方法を提供することである。
【課題を解決するための手段】
【００１０】
上記課題を解決するために、本発明の第１の特徴は、電話番号で識別される端末の呼を、当該電話番号に対応する加入者クラスに基づいて制御するセッション制御サーバに関する。本発明の第１の特徴に係るセッション制御サーバは、端末の電話番号と、当該電話番号に割り当てた加入者クラスとを対応づけた加入者クラスデータを記憶する記憶装置と、発信端末から、所定の番号、当該発信端末および着信端末の電話番号を含む発信リクエストを受信すると、加入者クラスデータから、当該発信端末の加入者クラスを抽出し、抽出した加入者クラスを上げた加入者クラスに基づいて、着信端末に発信リクエストを転送するか否かを決定するセッション制御手段を備える。
【００１１】
セッション制御手段は、さらに、発信端末について課金できる場合、発信リクエストを転送するか否かを決定しても良い。
【００１２】
本発明の第２の特徴は、電話番号で識別される端末の呼を、当該電話番号に対応する加入者クラスに基づいて制御するセッション制御サーバと、当該セッション制御サーバに接続するアプリケーションサーバを備える通信システムに関する。本発明の第２の特徴に係る通信システムにおいてセッション制御サーバは、端末の電話番号と、当該電話番号に割り当てた加入者クラスとを対応づけた加入者クラスデータを記憶する記憶装置と、発信端末から、所定の番号、当該発信端末および着信端末の電話番号を含む発信リクエストを受信すると、当該発信端末の電話番号をアプリケーションサーバに送信し、当該アプリケーションサーバから当該発信端末の加入者クラスの引き上げ指示を受信すると、加入者クラスデータから、当該発信端末の加入者クラスを抽出し、抽出した加入者クラスを上げた加入者クラスに基づいて、着信端末に発信リクエストを転送するか否かを決定するセッション制御手段を備える。アプリケーションサーバは、セッション制御サーバから、発信端末の電話番号を受信すると、当該発信端末の電話番号に基づいて課金可能であるか否かを判定し、課金可能である場合、セッション制御サーバに、引き上げ指示を送信する。
【００１３】
本発明の第３の特徴は、電話番号で識別される端末の呼を、当該電話番号に対応する加入者クラスに基づいて制御する通信方法に関する。本発明の第３の特徴に係る通信方法は、セッション制御サーバが、発信端末から、所定の番号、当該発信端末および着信端末の電話番号を含む発信リクエストを受信すると、端末の電話番号と、当該電話番号に割り当てた加入者クラスとを対応づけた加入者クラスデータから、当該発信端末の加入者クラスを抽出するステップと、セッション制御サーバが、抽出した加入者クラスを上げた加入者クラスに基づいて、着信端末に発信リクエストを転送するか否かを決定するステップと、を備える。
【００１４】
着信端末に発信リクエストを転送するか否かを決定するステップは、発信端末について、課金できる場合に実行されても良い。
【発明の効果】
【００１５】
本発明によれば、呼単位で発信を優先制御することのできる通信システムおよび通信方法を提供することができる。
【図面の簡単な説明】
【００１６】
【図１】本発明の実施の形態に係る通信システムのシステム構成を説明する図である。
【図２】本発明の実施の形態に係る加入者クラスを説明する図である。
【図３】本発明の実施の形態に係る各端末の加入者クラスを説明する図である。
【図４】本発明の実施の形態に係る通信方法を説明するシーケンス図である。
【図５】本発明の実施の形態に係るＳＩＰメッセージのヘッダーの一例を説明する図である。
【図６】本発明の実施の形態に係るセッション制御サーバのハードウェア構成と機能ブロックを説明する図である。
【図７】本発明の実施の形態に係る加入者クラスデータのデータ構造とデータの一例を説明する図である。
【図８】本発明の実施の形態に係るセッション制御サーバの処理を説明するフローチャートである。
【発明を実施するための形態】
【００１７】
次に、図面を参照して、本発明の実施の形態を説明する。以下の図面の記載において、同一または類似の部分には同一または類似の符号を付している。
【００１８】
（通信システム）
図１を参照して本発明の実施の形態に係る通信システム１００を説明する。通信システム１００は、セッション制御サーバ１、４、加入者サービスエッジ２ａ、２ｂ、５、端末３ａ、３ｂ、３ｃ、３ｄ、６、中継セッション制御サーバ７およびアプリケーションサーバ８を備える。発明を実施するための形態において、加入者サービスエッジ２ａおよび２ｂを特に区別しない場合、単に加入者サービスエッジ２と記載する場合がある。端末３ａ、３ｂ、３ｃおよび３ｄを特に区別しない場合、単に端末３と記載する場合がある。
【００１９】
第１の端末３ａは、ＩＰネットワークの端末であって、例えばＩＰ電話機である。各端末には、電話番号が割り当てられる。各端末は、電話番号に基づいて、呼を発信または着信する。第２の端末３ｂ、第３の端末３ｃ、第４の端末３ｄおよび第５の端末６も同様である。
【００２０】
第１の加入者サービスエッジ２ａは、端末３ａ、３ｂおよび３ｃを収容する。第１の加入者サービスエッジ２ａは、これらの端末との間でパケットを送受信する。第２の加入者サービスエッジ２ｂおよび第３の加入者サービスエッジ５も同様である。加入者サービスエッジは、ＳＳＥ（Subscriber Service Edge）と称される場合もある。
【００２１】
中継セッション制御サーバ７は、第１のセッション制御サーバおよび第２のセッション制御サーバ４間でパケットを転送する。中継セッション制御サーバは、ＩＳＣ（Intermediate Session Control server）と称される場合もある。
【００２２】
第１のセッション制御サーバ１は、中継セッション制御サーバ７およびアプリケーションサーバ８に接続し、加入者サービスエッジ２ａおよび２ｂを収容する。第１のセッション制御サーバ１は、電話番号で識別される端末の呼を、当該電話番号に対応する加入者クラスに基づいて制御する。第２のセッション制御サーバ４も同様である。セッション制御サーバは、ＳＳＣ（Subscriber Session Control server）と称される場合もある。
【００２３】
第１のセッション制御サーバ１は、収容する端末３に、加入者クラスを割り当てる。第１のセッション制御サーバ１は、高い加入者クラスが割り当てられた端末からの呼を優先的に発信および着信する。
【００２４】
図２を参照して、本発明の実施の形態において用いられる加入者クラスを説明する。本発明の実施の形態においては、加入者クラスは、災害時優先電話クラスＵＲ１、公衆電話クラスＵＲおよび一般加入者クラスＧＮの３つである。第１のセッション制御サーバ１は、発信端末に割り当てられた加入者クラスの優先度が高いほど、着信端末へ着信しやすくなるよう、制御する。
【００２５】
アプリケーションサーバ８は、第１のセッション制御サーバ１および第２のセッション制御サーバ４の複数のセッション制御サーバに接続する。アプリケーションサーバ８は、加入者に対して課金するために、加入者の電話番号と、この加入者に対する課金金額を対応づけたデータを保持する。第１のセッション制御サーバ１および第２のセッション制御サーバ４において課金する場合、通信システム１００は、アプリケーションサーバ８を備えていなくても良い。
【００２６】
本発明の実施の形態に係る通信システム１００は、発信端末が特定発信すると、当該特定発信が終了するまでの間、その発信端末の加入者クラスを一時的に上げて、優先制御する。ここで「特定発信」とは、発信端末が、発信時に、特定番号を付加して発信することを指す。特定番号は、例えば、加入者が発信時に操作することにより、ＳＩＰメッセージのヘッダーに設定される番号であって、予め定められる。
【００２７】
特定番号を付加する方法はいくつか考えられる。例えば、加入者が発信時に、特定番号に着信端末の電話番号を連結した番号を入力することにより、発信端末は、特定発信しても良い。この場合、特定番号は、例えば「００」で始まる４桁の番号で、着信端末の電話番号の先頭に付加されるプリフィックス番号である。特定番号は、着信端末の電話番号の後など、所定の位置に付加されても良い。この場合、ＳＩＰメッセージのヘッダーのＴｏ欄に、特定番号が付与される。さらに他の方法として、発信時に加入者が所定のボタンを押下するなど、特定発信の指示を入力することにより、発信端末が、ヘッダーに特定番号を付与して、ＳＩＰメッセージを送信しても良い。
【００２８】
本発明の実施の形態において、加入者は、呼毎に、特定番号を付加するか否かを設定することができるので、優先度を上げて発信したい呼についてのみ、特定番号を付加して、着信しやすくすることができる。
【００２９】
図３を参照して、端末に割り当てられる加入者クラスを説明する。第１の端末３ａおよび第４の端末３ｄの加入者クラスは、一般加入者クラスＧＮである。第２の端末３ｂの加入者クラスは、災害時優先電話クラスＵＲ１である。第３の端末３ｃの加入者クラスは、公衆電話クラスＵＲである。このとき優先度は、第２の端末３ｂ＞第３の端末３ｃ＞第１の端末３ａ＝第４の端末３ｄとなる。
【００３０】
一方、第１の端末３ａが特定発信すると、本発明の実施の形態において第１の端末３ａの加入者クラスは、“ＵＲ”に上がる。このとき優先度は、第２の端末３ｂ＞第１の端末３ａ＝第３の端末３ｃ＞第４の端末３ｄとなる。従って、第１の端末３ａが特定発信することにより、第１のセッション制御サーバ１は、本来同じ加入者クラスの第４の端末３ｄと比べて、第１の端末３ａからの特定発信の呼を優先的に転送して、着信端末が着信しやすく制御することができる。
【００３１】
本発明の実施の形態において、特定発信した発信端末に対して、加入者クラスを“ＵＲ”に上げる場合を説明するがこれに限られない。特定発信しない場合の発信端末の加入者クラス“ＧＲ”よりも高い加入者クラスに変更できれば良く、 “ＵＲ１”に変更されても良いし、新たな加入者クラス“Ｘ”に変更されても良い。新たな加入者クラス“Ｘ”は、“ＧＲ”、“ＵＲ”および“ＵＲ１”とは異なる加入者クラスであって、一般端末の加入者クラス“ＧＲ”よりも優先度が高い。
【００３２】
（通信方法）
図４を参照して、本発明の実施の形態に係る通信方法を説明する。図４に示す例では、発信端末は、第１の端末３ａおよび第４の端末３ｄで、これらの加入者クラスは、“ＧＮ”である。着信端末は、第５の端末６である。第１の端末３ａは特定発信で着信端末への発信を試みる一方、第４の端末３ｄが通常発信で着信端末への発信を試みる。また、災害の発生などにより、第１のセッション制御サーバ１が高負荷となり、発信制限をしている。
【００３３】
第１の端末３ａの加入者が、第５の端末６の加入者に向けて特定発信すると、ステップＳ１において、第１の端末３ａが、第５の端末６に向けてＩｎｉｔｉａｌ−ＩＮＶＩＴＥメッセージを送信する。このＩｎｉｔｉａｌ−ＩＮＶＩＴＥメッセージのヘッダーにおいて、宛先“Ｔｏ”の項目は、図５に示すように、特定番号と、第５の端末６の電話番号とを連結した番号に基づいて設定される。また、“Ｆｒｏｍ”の項目は、図５に示すように、第１の端末３ａの電話番号に基づいて設定される。
【００３４】
ステップＳ１において第１の端末３ａから送信されたＩｎｉｔｉａｌ−ＩＮＶＩＴＥメッセージは、第１のセッション制御サーバ１が受信する。これに対しステップＳ２において第１のセッション制御サーバ１は、第１の端末３ａに、１００Ｔｒｙｉｎｇを返す。
【００３５】
第１のセッション制御サーバ１は、受信したＩｎｉｔｉａｌ−ＩＮＶＩＴＥメッセージのＴｏ欄を参照し、特定番号が設定されているか否かを判定する。ここで、第１の端末３ａが送信したメッセージのヘッダーは、図５に示すように、特定番号を含む。第１のセッション制御サーバ１は、“Ｆｒｏｍ”欄を参照して、発信端末である第１の端末３ａの電話番号を取得する。第１のセッション制御サーバ１は、ステップＳ３においてアプリケーションサーバ８に第１の端末３ａの電話番号を送信し、第１の端末３ａの加入者クラスを引き上げて良いか否かを問い合わせる。
【００３６】
ステップＳ４においてアプリケーションサーバ８は、第１のセッション制御サーバ１から問い合わせを受信すると、この第１の端末３ａの電話番号に基づいて加入者を特定し、この特定加入者に対して、特定発信を許可するか否かを判定する。例えばアプリケーションサーバ８は、第１の端末３ａの加入者に対して、特定発信に関する課金が可能であるか否かなどを判定する。特定加入者に特定発信を許可する場合、ステップＳ５においてアプリケーションサーバ８は、第１のセッション制御サーバ１に、この特定加入者の当該呼について、加入者クラスを引き上げる指示を送信する。
【００３７】
ステップＳ５において第１のセッション制御サーバ１が、アプリケーションサーバから加入者クラスの引き上げ指示を受信すると、ステップＳ６において、第１のセッション制御サーバ１は、第１の端末３ａの加入者クラス“ＧＮ”を“ＵＲ”に上げる。さらに第１のセッション制御サーバ１は、引き上げた加入者クラス“ＵＲ”に基づいて、第５の端末６への発信を試みる。ここで、第１のセッション制御サーバ１が発信制限をしている場合、加入者クラスが高い第１の端末３ａからの発信は、中継セッション制御サーバ７に転送されやすい。この場合、第１のセッション制御サーバ１は、ステップＳ７において、引き上げた加入者クラス“ＵＲ”を指定して、Ｉｎｉｔｉａｌ−ＩＮＶＩＴＥメッセージ中継セッション制御サーバ７に送信する。
【００３８】
中継セッション制御サーバ７は、Ｉｎｉｔｉａｌ−ＩＮＶＩＴＥメッセージを受信すると、ステップＳ８において宛先の第５の端末６を収容する第２のセッション制御サーバ４に、Ｉｎｉｔｉａｌ−ＩＮＶＩＴＥメッセージを転送する。ステップＳ９において第２のセッション制御サーバ４は、第５の端末６に、Ｉｎｉｔｉａｌ−ＩＮＶＩＴＥメッセージを転送する。
【００３９】
第５の端末６は、ステップＳ９においてＩｎｉｔｉａｌ−ＩＮＶＩＴＥメッセージを受信すると、ユーザを呼び出す。第５の端末６は、ユーザが応答するまでの間、ステップＳ１０において、１８０Ｒｉｎｇｉｎｇメッセージを第２のセッション制御サーバ４に送信する。ステップＳ１１において第２のセッション制御サーバ４は、１８０Ｒｉｎｇｉｎｇメッセージを中継セッション制御サーバ７に転送する。ステップＳ１２において中継セッション制御サーバ７は、１８０Ｒｉｎｇｉｎｇメッセージを第１のセッション制御サーバ１に転送する。ステップＳ１３において第１のセッション制御サーバ１は、１８０Ｒｉｎｇｉｎｇメッセージを第１の端末３ａに転送する。
【００４０】
ユーザが受話器を取るなどにより応答すると、ステップＳ１４において第５の端末６は、２００ＯＫを、第２のセッション制御サーバ４に送信する。この２００ＯＫは、ステップＳ１４ないしステップＳ１６において、第２のセッション制御サーバ４から中継セッション制御サーバ７を介して、第１のセッション制御サーバ１に送信される。
【００４１】
第１のセッション制御サーバ１は、ステップＳ１７において、受信した２００ＯＫを、第１の端末３ａに送信するとともに、ステップＳ１８において、アプリケーションサーバ８に、特定加入者とのセッションが確立したことを通知する。特定加入者とのセッションが確立するとステップＳ１９においてアプリケーションサーバ８は、この特定加入者に対して、特定通話について課金するための処理をする。
【００４２】
一方、ステップＳ２１ないしステップＳ２２を参照して、第４の端末３ｄが、第５の端末６に通常発信、具体的には特定番号を付与しないで発信する場合を説明する。
【００４３】
第１の端末３ａの加入者が、第５の端末６の加入者に向けて通常発信すると、ステップＳ２１において、第４の端末３ｄが、第５の端末６に向けてＩｎｉｔｉａｌ−ＩＮＶＩＴＥメッセージを送信する。このＩｎｉｔｉａｌ−ＩＮＶＩＴＥメッセージのヘッダーにおいて、宛先“Ｔｏ”の項目には、第５の端末６の電話番号が設定され、特定番号は設定されていない。
【００４４】
ステップＳ２１において第４の端末３ｄから送信されたＩｎｉｔｉａｌ−ＩＮＶＩＴＥメッセージは、第１のセッション制御サーバ１が受信する。
【００４５】
第１のセッション制御サーバ１は、受信したＩｎｉｔｉａｌ−ＩＮＶＩＴＥメッセージのＴｏ欄を参照し、特定番号が設定されているか否かを判定する。ここで、第１の端末３ａが送信したメッセージのヘッダーは、特定番号を含まないので、第４の端末３ｄの加入者クラス“ＧＮ”に基づいて、第５の端末６への発信を試みる。ここで、第１のセッション制御サーバ１が発信規制をしている場合、加入者クラスが低い第４の端末３ｄからの発信は、中継セッション制御サーバ７に送信されない場合がある。この場合第１のセッション制御サーバ１は、ステップＳ２２において、５０３ＳｅｒｖｉｃｅＵｎａｖａｉｌａｂｌｅメッセージを第４の端末３ｄに送信する。
【００４６】
このように本発明の実施の形態に係る通信方法においては、特定発信した呼に対して加入者クラスを上げることで、呼単位でセッションの接続しやすさを制御することができる。また、特定発信した加入者に対して、特定発信に対して課金することができる。
【００４７】
（セッション制御サーバ）
図６を参照して、実施の形態に係る第１のセッション制御サーバ１を説明する。図６では、第１のセッション制御サーバ１について説明するが、第２のセッション制御サーバ４についても、同様である。実施の形態に係るセッション制御サーバ１は、電話番号で識別される端末の呼を、当該電話番号に対応する加入者クラスに基づいて制御する。
【００４８】
セッション制御サーバ１は、記憶装置１０、中央処理制御装置２０および通信制御装置３０などを備える一般的なコンピュータである。所定の処理を実行させるためのプログラムが実行されることにより、一般的なコンピュータに、図６に示す各機能が実現される。通信制御装置３０は、セッション制御サーバ１を、他の装置と通信可能に接続するためのインタフェースである。
【００４９】
記憶装置１０は、加入者クラスデータ１１を記憶する。加入者クラスデータ１１は、図７に示すように端末の電話番号と、当該電話番号に割り当てた加入者クラスとを対応づけたデータである。セッション制御サーバ１は、少なくとも自身が収容する端末に関する加入者クラスを加入者クラスデータ１１として保持する。
【００５０】
中央処理制御装置２０は、セッション制御手段２１を備える。
【００５１】
セッション制御手段２１は、電話番号で識別される端末の呼を、当該電話番号に対応する加入者クラスに基づいて制御する。セッション制御手段２１は、発信端末から、当該発信端末および着信端末の電話番号を含む発信リクエスト（Ｉｎｉｔｉａｌ−ＩＮＶＩＴＥメッセージ）を受信すると、加入者クラスデータ１１から、当該発信端末の加入者クラスを抽出する。セッション制御手段２１は、抽出した加入者クラスに基づいて、着信端末に発信リクエストを転送するか否かを決定する。着信端末に発信リクエストを転送するか否かは、セッション制御サーバ１の負荷なども考慮して決定されても良い。転送しない場合、セッション制御手段２１は、その旨のＳＩＰメッセージを発信端末に送信し、転送する場合、セッション制御手段２１は、発信から受信したＳＩＰメッセージを、着信端末に向けて転送する。この他にも、端末間のＳＩＰメッセージに関する様々な処理を制御する。
【００５２】
またセッション制御手段２１は、特定発信制御手段２２を備える。特定発信制御手段２２は、発信リクエストに所定の番号が含まれている場合、加入者クラスデータ１１から抽出した加入者クラスを上げる。特定発信制御手段２２は、発信端末から受信したＳＩＰメッセージのＴｏ欄を参照し、Ｔｏ欄に特定番号が設定されているか否かを判定する。特定発信制御手段２２は、特定番号が設定され、加入者クラスデータ１１から抽出した加入者クラスが“ＧＮ”の場合、この発信端末の加入者クラスを“ＵＲ”に変更する。このとき、特定発信制御手段２２は、加入者クラスデータ１１の加入者クラスを、“ＧＮ”から“ＵＲ”に更新しても良い。セッション制御手段２１は、特定発信制御手段２２によって上げられた加入者クラスに基づいて、発信リクエストを転送するか否かを決定する。
【００５３】
ここでセッション制御手段２１は、セッション制御サーバ１に送信された複数の発信リクエストのうち、いずれの呼を転送するかを決定する。発信制限がなされていない場合、セッション制御手段２１は、入力された全ての発信リクエストを転送することができる。一方、発信制限がなされている場合、セッション制御手段２１は、より加入者クラスの高い呼を優先的に発信させる。セッション制御手段２１は、特定発信制御手段２２によって加入者クラスが“ＵＲ”に上げられた呼を、加入者クラスが“ＧＮ”の呼に比べて、より転送しやすく制御することができる。
【００５４】
特定発信制御手段２２は、さらに、特定発信に関する課金も制御する。特定発信制御手段２２は、特定番号を含む発信リクエストを受けると、発信端末について課金できるか否かを判定し、課金できる場合、セッション制御手段２１は、加入者クラスを上げた加入者クラスに基づいて、発信リクエストを転送するか否かを決定する。その後特定発信制御手段２２は、２００ＯＫを受信し、発信端末と着信端末との間でセッションが確立すると、発信端末に課金する。
【００５５】
また、セッション制御サーバ１に接続可能なアプリケーションサーバ８が、課金に関して処理しても良い。この場合、特定発信制御手段２２は、特定番号を含む発信リクエストを受けると、発信端末の電話番号をアプリケーションサーバ８に送信する。特定発信制御手段２２は、当該アプリケーションサーバ８から当該発信端末の加入者クラスの引き上げ指示を受信すると、加入者クラスデータ１１から抽出した加入者クラスを上げる。セッション制御手段２１は、上げられた加入者クラスに基づいて、発信リクエストを転送するか否かを決定する。また特定発信制御手段２２は、この発信リクエストについて２００ＯＫを受信し、発信端末と着信端末との間でセッションが確立すると、その旨をアプリケーションサーバ８に通知する。これによりアプリケーションサーバ８は、セッションが確立したタイミングで、特定発信について課金することができる。
【００５６】
特定発信制御手段２２は、特定発信した発信端末について、加入者クラスデータ１１の加入者クラスを更新した場合、特定発信に関するセッションが開放された後、加入者クラスを復元する。
【００５７】
図８を参照して、セッション制御手段２１による発信に関するセッション制御処理を説明する。セッション制御手段２１は、ＳＩＰメッセージを受信すると、ステップＳ１０１において、ＳＩＰメッセージに特定番号が設定されているか否かを判定する。
【００５８】
特定番号が設定されていない場合、ステップＳ１０２において、通常の発信処理がなされる。具体的には、セッション制御手段２１は、加入者クラスデータ１１から発信端末の加入者クラスを取得し、取得した加入者クラスと、セッション制御サーバ１の負荷などに応じて、このＳＩＰメッセージを転送するか否かを決定する。その後、セッション確立およびセッション解放などの各処理がなされる。
【００５９】
一方、特定番号が設定されている場合、ステップＳ１０３に進む。ステップＳ１０３においてセッション制御手段２１は、発信端末の加入者クラスを取得する。ステップＳ１０４においてセッション制御手段２１は、発信端末について、課金が可能であるか否かを判定する。課金ができない場合、セッション制御手段２１は、エラーメッセージを返すなどして、発信制御を終了する。セッション制御手段２１は、アプリケーションサーバ８に発信端末の電話番号を送信することにより、アプリケーションサーバ８で課金可能であるかを判定させ、その結果を受信しても良い。
【００６０】
発信端末で課金可能な場合、ステップＳ１０５においてセッション制御手段２１は、加入者クラスデータ１１から発信端末の加入者クラスを取得し、取得した加入者クラスを上げて、加入者クラスデータ１１を更新する。ここで更新された加入者クラスは、着信端末で着信されなかったタイミングや、着信後セッションが開放されたタイミングなどに、元の加入者クラスに更新される。
【００６１】
その後、ステップＳ１０６において、発信処理がなされる。セッション制御手段２１は、加入者クラスに基づいて、ＳＩＰメッセージを転送するか否かを決定する。ここで、発信端末の加入者クラスは、ステップＳ１０５において更新されているので、このＳＩＰメッセージは、着信端末に転送されやすい。
【００６２】
ＳＩＰメッセージが着信端末に転送されない場合、または、ステップＳ１０７において発信端末と着信端末とのセッションが成立しなかった場合、ステップＳ１１０に進む。ステップＳ１１０においてセッション制御手段２１は、ステップＳ１０５において更新された発信端末の加入者クラスを、更新前の加入者クラスに戻して更新する。
【００６３】
一方、ＳＩＰメッセージが着信端末に転送され、かつ、ステップＳ１０７において発信端末と着信端末とのセッションが確立された場合、ステップＳ１０８に進む。ステップＳ１０８においてセッション制御手段２１は、発信端末の特定発信について課金する。セッション制御手段２１は、アプリケーションサーバ８に課金するようリクエストしても良い。
【００６４】
その後、セッション制御手段２１は、ステップＳ１０９において、発信端末と着信端末とのセッションが解放されるのを待機する。セッションが解放されると、ステップＳ１１０においてセッション制御手段２１は、ステップＳ１０５において更新された発信端末の加入者クラスを、更新前の加入者クラスに戻して更新する。
【００６５】
本願の実施の形態に係る通信システム１００は、発信者が特定の呼について特定番号を設定して特定発信することにより、セッション制御サーバ１は、特定発信された呼を優先的に発信することができる。
【００６６】
（その他の実施の形態）
上記のように、本発明の実施の形態によって記載したが、この開示の一部をなす論述および図面はこの発明を限定するものであると理解すべきではない。この開示から当業者には様々な代替実施の形態、実施例および運用技術が明らかとなる。
【００６７】
例えば、本発明の実施の形態に記載した通信システムは、図１に示した装置以外の装置を備える場合もある。また、物理的に一つの装置が、複数の装置の機能を実装する場合もある。
【００６８】
本発明はここでは記載していない様々な実施の形態などを含むことは勿論である。従って、本発明の技術的範囲は上記の説明から妥当な特許請求の範囲に係る発明特定事項によってのみ定められるものである。
【符号の説明】
【００６９】
１，４  セッション制御サーバ
２，５  加入者サービスエッジ
３，６  端末
７  中継セッション制御サーバ
８  アプリケーションサーバ
１０  記憶装置
１１  加入者クラスデータ
２０  中央処理制御装置
２１  セッション制御手段
２２  特定発信制御手段
３０  通信制御装置
１００  通信システム
【図１】
0005956962.tif 000002
【図２】
0005956962.tif 000003
【図３】
0005956962.tif 000004
【図４】
0005956962.tif 000005
【図５】
0005956962.tif 000006
【図６】
0005956962.tif 000007
【図７】
0005956962.tif 000008
【図８】
0005956962.tif 000009